(57)【要約】【課題】バスバーとフィルタ部品との距離を短縮させて、フィルタ部品のノイズ除去性能を向上させることができる電気回路構造を提供すること。【解決手段】電気回路が形成された基板と、基板と所定の距離をあけて基板上に配置されたバスバーと、基板上に設置され、電気回路と接続されたフィルタ部品とを備え、バスバーは、フィルタ部品の近傍で電気回路と接するように変形させて電気回路にはんだ付けされた変形部を備える電気回路構造が提供される。【選択図】図１
2015173040.tif 000002
【特許請求の範囲】
【請求項１】
電気回路が形成された基板と、
前記基板と所定の距離をあけて前記基板上に配置されたバスバーと、
前記基板上に設置され、前記電気回路と接続されたフィルタ部品と
を備え、
前記バスバーは、前記フィルタ部品の近傍で前記電気回路と接するように変形させて前記電気回路にはんだ付けされた変形部を備える電気回路構造。
【発明の詳細な説明】
【技術分野】
【０００１】
本発明は、電気回路構造に関する。
【背景技術】
【０００２】
従来、バスバーにコンデンサを取り付ける方法として、コンデンサ素子のリード線端子を挿入するための穴部を設けた接続板をバスバーにネジで固定する方法が知られている（例えば、特許文献１等参照）。
【先行技術文献】
【特許文献】
【０００３】
【特許文献１】実開平２−１２３０６７号公報
【発明の概要】
【発明が解決しようとする課題】
【０００４】
しかしながら、上述の従来技術においては、バスバーとコンデンサ等のフィルタ部品とが接続板を介して接続されている。このため、必要なコンデンサ容量やノイズ除去性能に直接影響を与えるバスバーとコンデンサとの距離が大きく、ノイズ除去性能が十分ではない。
【０００５】
そこで、本発明の一つの案では、バスバーとフィルタ部品との距離を短縮させて、フィルタ部品のノイズ除去性能を向上させることができる電気回路構造を提供することを目的とする。
【課題を解決するための手段】
【０００６】
一つの案では、電気回路が形成された基板と、基板と所定の距離をあけて基板上に配置されたバスバーと、基板上に設置され、電気回路と接続されたフィルタ部品とを備え、バスバーは、フィルタ部品の近傍で電気回路と接するように変形させて電気回路にはんだ付けされた変形部を備える電気回路構造が提供される。
【発明の効果】
【０００７】
一態様によれば、バスバーとフィルタ部品との距離を短縮させて、フィルタ部品のノイズ除去性能を向上させることができる電気回路構造を提供できる。
【図面の簡単な説明】
【０００８】
【図１】本実施形態に係る電気回路構造の構成の一例の概略図。
【図２】本実施形態に係る電気回路構造による作用の説明図。
【発明を実施するための形態】
【０００９】
以下、本発明の実施形態について添付の図面を参照しながら説明する。なお、本明細書及び図面において、実質的に同一の機能構成を有する構成要素については、同一の符号を付することにより重複した説明を省く。
【００１０】
（電気回路構造の構成）
図１に、本実施形態に係る電気回路構造の構成の一例の概略図を示す。図１（ａ）は、本実施形態に係る電気回路構造の一例の斜視図であり、図１（ｂ）は図１（ａ）に示す電気回路構造のＡ−Ａ線に沿った部分の概略断面図である。なお、図１中、基板１上に形成された電気回路は省略している。
【００１１】
図１（ａ）に示すように、電気回路構造は、電気回路が形成された基板１と、基板１と所定の距離Ｌをあけて基板１上に配置されたバスバー２と、基板１上に配置され電気回路と接続されたフィルタ部品４とを備える。また、基板１上には、バスバー２を基板１上に配置するための端子台６が設けられている。また、バスバー２には、基板１にバスバー２を固定する際に用いられるネジを貫通させるための貫通孔であるネジ締結用孔５が形成されている。
【００１２】
以下、各々について説明する。
【００１３】
基板１には、電気回路のうち供給される電流が小さい部分の経路に対応する回路が形成されており、各種の電子部品が実装される。
【００１４】
バスバー２は、基板１と所定の距離Ｌをあけて基板１と平行又は略平行に配置されている。具体的には、バスバー２は、ネジ締結用孔５にネジが挿通され、基板１に設けられた端子台６に固定されている。
【００１５】
バスバー２は、例えばプレス加工された所定の断面積を有する配線部材によって形成されている。配線部材としては、例えば電気抵抗が小さい銅、アルミニウム等の導電性金属板を用いることができる。バスバー２は、基板１に形成された電気回路に供給することができない大電流が流れる大電流経路、例えば出力ライン等の経路として機能する。
【００１６】
バスバー２の断面積は、バスバー２に供給される電流に応じて設定される。すなわち、バスバー２に供給される電流が大きい場合にはバスバー２の断面積を大きくし、バスバー２に供給される電流が小さい場合にはバスバー２の厚み又は断面積を小さくする。これにより、バスバー２の発熱を低減することができる。
【００１７】
バスバー２は、フィルタ部品４の近傍で電気回路と接するように変形させた変形部３を備える。バスバー２の変形部３のうち、電気回路と接する部分がはんだ付けされることにより、バスバー２と基板１に形成された電気回路とが電気的に接続される。ここで、フィルタ部品４の近傍とは、電気回路が形成された基板１上の領域のうち、フィルタ部品４が接続される電気回路が形成された領域を表す。
【００１８】
変形部３の形状としては、基板１上に設置されたフィルタ部品４との距離が小さくなることから、図１（ｂ）に示すように、バスバー２のフィルタ部品４に近い部分が、例えばクランク状に曲げ加工された形状であることが好ましい。また、バスバー２には、スリット（切れ目）を入れておくことが好ましい。これにより、バスバー２に対するはんだ付けや曲げ加工を容易に行うことができる。
【００１９】
フィルタ部品４は、基板１上に設置され、基板１に形成された電気回路と接続される。具体的には、フィルタ部品４は、バスバー２と基板１上に形成された電気回路の一部であるグランドライン１３との間に設けられ、例えば、電流変化の影響がバスバー２を通して他の回路に伝わるのを防ぐ等の作用を有するノイズ除去用の部品である。フィルタ部品４としては、小型化・高密度化が可能であることから、例えば表面実装型のコンデンサ等を好適に用いることができる。
【００２０】
ネジ締結用孔５は、バスバー２に形成された孔であり、基板１にバスバー２を固定する際に用いられるネジを貫通させるための貫通孔である。ネジ締結用孔５は、バスバー２に１乃至複数が形成されている。
【００２１】
端子台６は、基板１とバスバー２とを所定の距離Ｌをあけて配置するための部材である。端子台６としては、例えばネジ穴が形成されたネジ端子台等を用いることができる。端子台６は、ネジ締結用孔５の位置と端子台６のネジ穴の位置とが一致するように、基板１上に、例えばはんだ実装される。
【００２２】
また、本実施形態に係る電気回路構造は、取付部７、電子部品８等を備える。
【００２３】
取付部７は、バスバー２と同様の配線部材によって形成されており、１乃至複数の貫通孔を有する。
【００２４】
電子部品８は、バスバー２と取付部７との間に配置されている。具体的には、電子部品８の２つ端子部の一方がバスバー２に形成されたネジ締結用孔５に接続され、他方が取付部７に形成された貫通孔に接続されている。電子部品８としては、例えば、フィルタコイル、電流センサ等が挙げられる。
【００２５】
（作用）
次に、本実施形態に係る電気回路構造の作用について説明する。図２に、本実施形態に係る電気回路構造の作用の説明図を示す。
【００２６】
図２に示すように、バスバー２は、基板１と所定の距離Ｌをあけて基板１上に配置されているため、高い放熱機能を備える。
【００２７】
また、バスバー２の変形部３は、フィルタ部品４の近傍で電気回路と接するように変形され、基板１上に形成された電源ライン１２（電気回路の一部）にはんだ付けされ、基板１上に形成された電源ライン１２と接続されている。このため、抵抗溶接により接続される場合と比較して、バスバー２と電源ライン１２との間の抵抗が小さく、電気特性が良好である。また、抵抗溶接により接続される場合に必要となる溶接用のスペースが不要であることから、バスバー２とフィルタ部品４との距離Ａを短縮させ、抵抗、インピーダンス等を低減させることができる。結果として、フィルタ部品４のノイズ除去性能を向上させることができる。
【００２８】
また、上述したように、バスバー２の変形部３と電源ライン１２とがはんだ付けにより接続されているため、電気回路構造を有する素子を作製する際の溶接工程を削減することができる。結果として、素子の小型化と加工費の低減を実現することができる。
【００２９】
また、フィルタ部品４として表面実装型のコンデンサを用いる場合、スルーホール型のコンデンサを用いる場合と比較して、バスバー２とコンデンサとの距離Ａに加えて、グランドライン１３とコンデンサとの距離Ｂも低減することができる。これにより、特に優れたノイズ低減効果が得られる。また、電気回路構造を有する素子の小型化が可能である。
【００３０】
さらに、本実施形態に係る電気回路構造によれば、大電流経路を基板１外のバスバー２に確保しているため、電気回路が基板１上を占有する領域を小さくすることができる。このため、基板１を小型化することができる。
【００３１】
以上に説明したように、本実施形態に係る電気回路構造は、電気回路が形成された基板１と、基板１と所定の距離Ｌをあけて基板１上に配置されたバスバー２と、基板１上に設置され、電気回路と接続されたフィルタ部品４とを備える。また、本実施形態に係る電気回路構造は、バスバー２がフィルタ部品４の近傍で電気回路と接するように変形させて電気回路にはんだ付けされた変形部３を備える。これにより、バスバー２とフィルタ部品４との距離Ｌを短縮させて、フィルタ部品４のノイズ除去性能を向上させることができる。
【００３２】
以上、電気回路構造を実施形態により説明したが、本発明は上記実施形態に限定されるものではなく、本発明の範囲内で種々の変形及び改良が可能である。
【符号の説明】
【００３３】
１  基板
２  バスバー
３  変形部
４  フィルタ部品
５  ネジ締結用孔
６  端子台
７  取付部
８  電子部品
１１  はんだ
１２  電源ライン
１３  グランドライン
【図１】
2015173040.tif 000003
【図２】
2015173040.tif 000004